(57)【要約】【課題】ノートに作られる欄の大きさを学習者の自由に任せると空白が作成されず学習効果が十分に得られなかった。また、従来のノートは学習の記録としての機能を十分に発揮していなかった。【解決手段】ノート用紙の四角枠内に等間隔に並んだ複数の縦罫線と３本の横罫線とからなり、それら３本の横罫線と四角枠により形成される４つの欄の高さが規定の関係を有するノート用紙を利用して学習を進めることにより、学習段階に応じた余白を生み出して学習効果を向上している。さらに、四角枠の外側に設けた別の四角枠と３本の横罫線からなる図形により、四角枠全体、もしくは、主たる四角枠内の上から２番目と３番目と４番目の欄を一つとした欄に記載した内容が４つの欄のどこに記載すべき内容かが一目で判るようにしている。また、ミシン目入りの所定の用紙をノートに付加することにより学習の記録としての機能を付与している。【選択図】図２
2017128037.tif 000002
【特許請求の範囲】
【請求項１】
ノート用紙内に収まる四角枠と、当該四角枠内に設けられた等間隔に並んだ複数の縦罫線と、当該四角枠内に設けられた３本の横罫線とからなり、前記３本の横罫線と前記四角枠により形成される４つの欄の高さの関係が、上から２番目の欄の高さが１番上の欄の高さの５〜９倍、上から３番目の欄の高さが１番上の欄の高さの１０〜１５倍、上から４番目の欄の高さが１番上の欄の高さの５〜９倍であるノート用紙の、
前記四角枠の外側のノート用紙の領域の何れかに、別の四角枠と当該別の四角枠内に設けられた３本の横罫線からなる図形が設けられたことを特徴とするノート用紙。
【請求項２】
前記４つの欄の高さの関係が、上から２番目の欄の高さが１番上の欄の高さの５〜７倍、上から３番目の欄の高さが１番上の欄の高さの１２〜１４倍、上から４番目の欄の高さが１番上の欄の高さの６〜８倍であることを特徴とする請求項１に記載のノート用紙。
【請求項３】
前記４つの欄は、１番上の欄が日付、教科書のページ数のうちのいずれかを、上から２番目の欄が授業のめあて、学習内容の見出し、学習のポイント、学習後の感想、次回の学習内容の予告のうちのいずれかを、上から３番目の欄が板書事項、学習後の振り返り、振り返りを深めた感想、広いスペースが必要な調べ学習などの自主学習、疑問について調べた内容のうちのいずれかを、上から４番目の欄が授業でふと感じたことや考えたことなどのつぶやきメモ、疑問メモ、教師や友達の発言で印象に残った言葉メモ、学習の重要事項だと思った事柄のメモ、後で調べようと思ったことのメモ、今後使いたいと思った言葉、少ないスペースの方がまとめやすい意味調べなど自主学習のうちのいずれかを記載する欄であることを特徴とする請求項１もしくは請求項２に記載のノート用紙。
【請求項４】
請求項１から請求項３のいずれかに記載のノート用紙を束ねて作製したことを特徴とするノート。
【請求項５】
巻頭もしくは巻末に学習の記録として残すために必要な用紙を付加し、かつ、当該付加した用紙にノート本体から切り取り可能にするミシン目を入れたことを特徴とする請求項４に記載のノート。
【発明の詳細な説明】
【技術分野】
【０００１】
本発明は、学習者の能力を向上させるノート用紙、および、ノートに関するものである。
【背景技術】
【０００２】
用紙面の片面又は両面の全体もしくは用紙内に収まる四角枠に、縦罫線を横方向へ一定間隔おきに表示したノート用紙が知られており、中学校などの国語教育において広く使用されている。しかし、このような一般的なノート用紙は、授業における教師が黒板に書いた事項、いわゆる板書事項や、教師から指示された内容を縦罫線に沿ってノート用紙全体もしくは四角枠によって区切られた１つの領域内に画一的に書き込むだけであり、予習復習などと組合せた学習効果を十分に発揮できるものではなかった。
一方、例えば、特許文献１のように縦罫線と横罫線の両方を設けたノート用紙も提案されており、両方の罫線を用いてノートの使用者、すなわち学習者が、例えば図形と文字を同一紙面上に書く場合に綺麗に書けるという効果が得られている。
このように縦と横の両方の罫線が入ったノート用紙を使用すれば、１つの領域しか作れなかったノート用紙に複数の領域、すなわち、複数の欄を簡単に作ることができ、それら複数の欄を予習や復習に使用して学習者の学習効果を向上させることが期待される。
【先行技術文献】
【特許文献】
【０００３】
【特許文献１】特開第２０１１−２５５２９号公報
【発明の概要】
【発明が解決しようとする課題】
【０００４】
しかし、複数の欄を作り予習や復習に使用したとしても、欄の大きさを学習者の自由にさせると、それぞれの欄に書いた文章の量によって欄の大きさを決めてしまう傾向が見られ、後述する余白の活用ができずに、十分な学習効果が得られないという第１の課題があった。
また、従来のノートは同じノート用紙が綴じられただけの構造であるため、ノート用紙に書いた内容は学習者や教師にとって学習の詳細な記録となるが、ノート使用後の一定期間経過後に学習者がそれを見返して自学に繋げたり、学習の過程を重要視しながらノート使用期間の学習のまとまりとしてノートを使用する時に、ノート使用期間の学習テーマや学習内容の概略を簡単に思い出させるには不十分であるという第２の課題があった。すなわち、「学習の記録」としての機能を十分に発揮することができなかった。
第１の課題と第２の課題は、時間的な違いはあるが、どちらも教育の場において学習者の能力を向上させることを阻害するということで共通している。
【課題を解決するための手段】
【０００５】
前記第１の課題に対して本願の発明者が鋭意検討を重ねたところ、ノート用紙の欄の大きさや数を学習者の自由に任せるのではなく、予め決められた欄の数と、予め決められた範囲の比率の欄の高さとして、それぞれの欄に書く内容を教師が学習者に指導することにより、学習者の学習効果を大幅に向上できることを見出した。
そしてさらに、欄外の空いたスペースに本発明の特徴を表す図形を付けることにより、学習者に分り易いノート用紙とすることができることを見出した。
具体的には、ノート用紙内に収まる四角枠（以後「主たる四角枠」と呼ぶ）と、主たる四角枠内に設けられた等間隔に並んだ複数の縦罫線と、主たる四角枠内に設けられた３本の横罫線とからなり、それら３本の横罫線と主たる四角枠により形成される４つの欄の高さの関係が、上から２番目の欄の高さが１番上の欄の高さの５〜９倍、上から３番目の欄の高さが１番上の欄の高さの１０〜１５倍、上から４番目の欄の高さが１番上の欄の高さの５〜９倍であるノート用紙の主たる四角枠の外側のノート用紙の領域の何れかに、主たる四角枠とは別の四角枠（以後「従たる四角枠」と呼ぶ）と従たる四角枠内に設けられた３本の横罫線からなる図形が設けられたノート用紙を利用することにより実現している。
さらに、前記４つの欄の高さの関係が、上から２番目の欄の高さが１番上の欄の高さの５〜７倍、上から３番目の欄の高さが１番上の欄の高さの１２〜１４倍、上から４番目の欄の高さが１番上の欄の高さの６〜８倍であることが、より好ましい。
さらに、前記横罫線のうちの少なくとも１本が、縦罫線よりも太いか、色が異なるか、線の濃さが濃いか、もしくは、これらの組み合わせにより、縦罫線より目立つことにより、前記欄の存在を目立たせることもできる。
【０００６】
このように欄の数と欄の高さを規定することによって、その欄を書き埋めようとする学習行為を通して学習者に様々な思考が発生じ、さらに欄に余白が生まれることにより学習者に余白を埋めようとする動機付けを与えることができ、自学を含めた学習全体を構築する力が育まれるという成果が得られることが判った。上記で規定した各欄の高さの比率はこれらの成果を引き出すために適した値である。
つまり、本発明は、従来、授業で主に板書事項を書き込むためだけに使用されていたノートを、そこに書き込むことで学習者が思考を深め、授業と自学を相互に繋げ、学習そのものを構築する力を育むことのできる「考えるノート」を実現させるものである。
さらに、本願の発明者が検討を重ねたところ、ノート用紙に設けられた３本の横罫線により形成される４つの欄を設けることにより学習の効果を上げられることが判ったが、必ずしも全てのページを同じ形式で記載することが最良でない場合があることも判った。例えば、広いスペースを使用して調べた内容を表にまとめたり、同じく長い感想を書いたりする場合などである。
【０００７】
このような場合に、同じ形式でノートの記載を続けて行くと、ある欄の記載が多くなり、極端な場合には同じ欄の記載のみが何ページに渡って続くことになり、他の欄が余白として残ってしまう。そしてこの余白は本発明の特徴である学習者の学習効果の向上をもたらす余白と異なり、単なる無駄なスペースとしての余白になってしまう。このような場合には、３本の横罫線に拘らずノート用紙の主たる四角枠内全体、もしくは、主たる四角枠内の上から２番目と３番目と４番目の欄を一つの欄として使用して記載した方が良いと考えられる。
ただし、記載する内容が決まっている各欄と違い、主たる四角枠内全体、もしくは、主たる四角枠内の上から２番目と３番目と４番目の欄を一つとした欄に記載した場合は、記載した内容が何に係わるものであるかを把握することが困難になることがあり、特に、時間が経ってからノートを見直す場合にこの傾向が顕著になる。
そこで本発明では、ノート用紙の主たる四角枠の外側のノート用紙の領域の何れかに、従たる四角枠と従たる四角枠内に設けられた３本の横罫線からなる図形を設け、主たる四角枠全体、もしくは、主たる四角枠内の上から２番目と３番目と４番目の欄を一つとした欄に記載した内容が４つの欄のどこに記載すべき内容かが一目で判るようにしている。
より具体的には、ノート用紙に設けられた主たる四角枠と３本の横罫線をそれらの位置関係を大きく崩すことなくシンボリックに描いた前記図形の４つの欄のうち、主たる四角枠内に記載した内容と対応する欄を学習者が塗りつぶすなどして、主たる四角枠全体、もしくは、主たる四角枠内の上から２番目と３番目と４番目の欄を一つとした欄に記載した内容が４つの欄のどこに記載すべき内容かが一目で判るようにできる。
前記４つの欄は、一番上の欄が日付、教科書のページ数のうちのいずれかを、上から２番目の欄が授業のめあて、学習内容の見出し、学習のポイント、学習後の感想、次回の学習内容の予告のうちのいずれかを、上から３番目の欄が板書事項、学習後の振り返り、振り返りを深めた感想、広いスペースが必要な調べ学習などの自主学習、疑問について調べた内容のうちのいずれかを、上から４番目の欄が授業でふと感じたことや考えたことなどのつぶやきメモ、疑問メモ、教師や友達の発言で印象に残った言葉メモ、学習の重要事項だと思った事柄のメモ、後で調べようと思ったことのメモ、今後使いたいと思った言葉、少ないスペースの方がまとめやすい意味調べなど自主学習のうちのいずれかを記載する欄である。
【０００８】
本発明によりノート用紙に作成される４つの欄に書く内容についてさらに詳しく説明する。１回の授業において、上から１番目の欄には「日付」や「教科書のページ数」を、上から２番目の欄には「授業のめあて」や「学習内容の見出し」を、上から３番目の欄には「板書事項」や「学習後の振り返り」を、上から４番目（最下段）の欄には「授業でふと感じたことや考えたことなどのつぶやきメモ」や「疑問メモ」や「教師や友達の発言で印象に残った言葉メモ」を書く。これらは教師の指導によって書かせる基本事項である。ここで「つぶやき」とは、発声を伴わずに自分自身の心のなかで用いる言葉（内言）を指す。授業のポイントを言語化してそこに残すことが大事である。学習者は内言を後から見て授業の確認と語彙の獲得ができる。語彙は教師が授業中に板書はしていないが上手くちりばめている。板書していないことに学習者が気付き自主的に書き込むことも能力向上にとって大切なことである。
【０００９】
さらに、教師の助言や学習者の自由な工夫や発想により書き足す項目として、上から２番目の欄には「学習のポイント」や「学習後の感想」や「次回の学習内容の予告」など、上から３番目の欄には「振り返りを深めた感想」や「広いスペースが必要な調べ学習などの自主学習」や「疑問について調べた内容」など、上から４番目（最下段）の欄には「学習の重要事項だと思った事柄のメモ」や「後で調べようと思ったことのメモ」や「今後使いたいと思った言葉」や「少ないスペースの方がまとめやすい意味調べなど自主学習」などがある。すなわち各欄はそれぞれ役割を持つ。１番上は日時や学習箇所の記録としての役割を、上から２番目は後から見て学習の経過が一目でわかるような学習内容の見出しとしての役割を、上から３番目は授業と自学の学習内容の記録としての役割を，１番下は授業中にふと考えたことや思ったことを言葉としてつかまえ、後に自学や語彙の獲得し、さらに考えの深化につなげるためのメモとしての役割を、それぞれ持つのである。
これら４つの欄に書く内容は教師が書かせることを基本とするものの、いずれ学習者が書き足せるようになり、学習者の能力向上に関して大事な要素となる。つまり、学習者は授業の流れを把握できるようになり、振り返った時に自分にとってのポイントが判るようになり、次の授業の見通しが持てるようになる。本発明ではこのような書き足しを学習者に誘発するために規定された高さを有する欄にできる余白が役に立っている。
なお、４つの欄に書く内容は前記のものに限定されるものではないが、これらは発明者が試行錯誤しながら見出した学習者の学習効果の向上に寄与できる内容である。
上記で示したようなノート用紙を束ねてノートを作製すれば、第１の課題を解決できるノートを実現することができる。ノートにすることによりノート用紙のページを跨いだ余白ができるようになり、本発明の余白の効果を一層発揮できることになる。
【００１０】
前記第２の課題に対しては、巻頭もしくは巻末に学習の記録として残すために必要な用紙を付加し、かつ、この付加した用紙にノート本体から切り取り可能にするミシン目を入れることにより解決を図っている。学習者はノートを使い終わった後に付加された用紙に必要事項を記載してミシン目から切り取り、ノートや授業で配布されたプリント類とともに綴じ「学習の記録」を作成する。
付加する用紙の内容としては、「学習の記録」内容を表すタイトル、タイトルの由来、学習のテーマやその選定理由、目次などが挙げられる。付加する用紙の枚数は１枚であっても２枚以上であってもよい。さらに、ノート用紙の端部に貼って見出しとするためのシールを複数枚収納する用紙を付加することも効果的である。
ミシン目はノートの綴じ部分付近に設ければよく、学習者は鋏などを用いることなく簡単にノート本体から切り離すことができればよい。
さらに、付加した用紙以外は本願の請求項１から請求項３のいずれかに記載のノート用紙を使用して、巻頭もしくは巻末に付加した用紙が来るように束ねてノートを作製すれば、第１と第２の課題を解決できるノートを実現することができる。
【発明の効果】
【００１１】
欄の数と欄の高さを規定したノート用紙、もしくはそれらのノート用紙を束ねたノートを使用することによって、欄に生まれた余白を書き埋めようとする学習行為を通して学習者に様々な思考が発生し、さらに欄に余白が生まれることにより学習者に余白を埋めようとする動機付けを与えることができ、自学を含めた学習全体を構築する力が育まれるという効果が得られる。
これまでのノートは、一枚の紙面に対して書きまとめる欄はひとつであった。学習者はそこに、主に板書を写したり時にはメモを取ったりするが、紙面（一つの欄）に隅々まで書ききることはほとんどない。たいてい、紙面（一つの欄）の３分の１程度は余白となる。なぜなら、ノートに記述する文字は、言葉か短文がほとんどだからである。そして言葉や文が区切れれば、次の行の先頭から書き始めることが自然だからである。時に長文をノートに書く場合があるが，それは「授業のめあて」が作文等の場合である。したがって、ノートの各ページには不定形の余白が残る。その余白は活用されぬままになっている場合が多かった。
【００１２】
そこに３本の横罫線を入れることによって一枚の紙面に４つの欄が生まれる。４つの欄それぞれには「書く内容」における役割がある。前述したように、１番上は日時や学習箇所の記録としての、上から２番目は後から見て学習の経過が一目でわかるような学習内容の見出しとしての、上から３番目は授業と自学の学習内容の記録としての，１番下は授業中にふと考えたことや思ったことを言葉としてつかまえ、後に自学や語彙の獲得し、さらに考えの深化につなげるためのメモとしての、それぞれ役割である。これらの役割に準じて、欄の高さ、すなわち横罫線を書き入れる位置を決める。欄の大きさの順に述べると、まず一番大きいのは上から３番目の「学習内容の記録」欄である。ここが最も多く文字を書き入れる部分だからである。次は上から４番目の「メモ（瞬間の言葉をつかまえ、前後の学習をつなげる）」欄と、上から２番目の「見出し（後で見返すときに必要）」欄であり、これらは同じ高さの場合もある。そして、最後に１番上の「日付」欄である。
これらノートの紙面に現れた４つの欄は、すなわち学習時における思考の領域である。それらの欄に、考えながら書き、書きながら整理し、整理しながら書く・・・そのような学習行為によって思考を深める効果が期待されるのである。
また、各欄における余白は、多すぎても少なすぎても良いノートにはならない。どちらも見難いからである。教師がそのように指導することによって、学習者は余白を埋めようと学習内容を考え、判断し、選択して学習を実行するようになる。結果として学習内容は深まり、学力向上につながる。しかも能動的で主体的に学習に取り組む力を獲得することにもなるのである。
【００１３】
本発明では、従来は不定形であった余白が欄の存在により定形（四角形）となり、従来は無意味であった余白を意味のあるものにしている。
ただし、ノート用紙に設けられた３本の横罫線により形成される４つの欄を用いて画一的に記載することが最良でない場合があり、１つの内容を３本の横罫線に拘らずノート用紙の主たる四角枠内全体、もしくは、主たる四角枠内の上から２番目と３番目と４番目の欄を一つとした欄を使用して記載した方が良い場合がある。
本発明では、このような場合は、ノート用紙の主たる四角枠の外側のノート用紙の領域の何れかに設けた従たる四角枠と従たる四角枠内に設けられた３本の横罫線からなる図形の４つの欄のうち、主たる四角枠内に記載した内容と対応する欄を塗りつぶしたり、欄の中にしるしを書き加えることにより、主たる四角枠全体、もしくは、主たる四角枠内の上から２番目と３番目と４番目の欄を一つとした欄に記載した内容が４つの欄のどこに記載すべき内容かが時間が経ってからでも一目で判るようにすることができる。
さらに、前記「学習の記録」を作成することにより、ノート使用後の一定期間経過後に学習者がそれを見返した時に、学習者がノート使用期間の学習テーマや学習内容の概略を簡単に思い出すことができ、自身の学習を概観できる。
以上の通り、本願の請求項１から請求項３のいずれかに記載のノート用紙と、前記した付加する用紙を組み合せてノートを作ることにより、本願発明のノート用紙の形状と付加ページの効果が相まって非常に大きな学習効果と記録としてのノートの価値を同時に得ることができ、教育の場における学習者の能力を向上により資することができる。
【図面の簡単な説明】
【００１４】
【図１】実施例に係るノート用紙を説明するための図である。
【図２】学習能力向上前の学習者の記載内容を模式的に表した図である。
【図３】学習能力向上後の学習者の記載内容を模式的に表した図である。
【図４】本発明に係るノート用紙を束ねて作成したノートを示す図である。
【図５】広いスペースが必要な内容を対応する欄のみを用いて記載した場合を表した図である
【図６】広いスペースが必要な内容を主たる四角枠内全体を使用して記載し、かつ、主たる四角枠の外側の図形の対応する欄を塗りつぶした場合を表した図である。
【図７】巻頭もしくは巻末に付加する用紙の実施例を説明するための図である。
【図８】巻頭もしくは巻末に付加するシール用紙を説明するための図である。
【発明を実施するための形態】
【００１５】
次に、本発明に係る好適な実施例を挙げ、図面に基づき説明する。
図１に本発明の実施例を示す。図１（ａ）はノートを開いた時の左側のページのノート用紙に対応し、図１（ｂ）はノートを開いた時の右側のページのノート用紙に対応している。ＪＩＳ規格Ｂ５版の用紙１（縦２５７ｍｍ、横１８２ｍｍ）に収まる縦２２０ｍｍ、横１５２ｍｍの主たる四角枠２内に等間隔に並んだ複数の縦罫線３と、本発明の特徴である３本の横罫線４が描かれているノート用紙Ｎである。縦罫線の線間隔は８ｍｍである。主たる四角枠の上辺と１番上の横罫線の間隔、つまり１番上の欄の高さは８ｍｍであり、１番上の横罫線と上から２本目の横罫線の間隔、つまり上から２番目の欄の高さは５５ｍｍであり、上から２番目の横罫線と上から３本目の横罫線の間隔、つまり上から３番目の欄の高さは１００ｍｍであり、上から３番目の横罫線と主たる四角枠の下辺の間隔、つまり上から４番目の欄の高さは５７ｍｍである。４つの欄の高さの関係は、上から２番目の欄の高さが１番上の欄の高さの６．８８倍、上から３番目の欄の高さが１番上の欄の高さの１２．５０倍、上から４番目の欄の高さが１番上の欄の高さの７．１３倍である。
ノート用紙Ｎの主たる四角枠２の外側のノート用紙の領域には、従たる四角枠と従たる四角枠内に設けられた３本の横罫線からなる図形５が設けられている。
【００１６】
図１（ａ）に示すようにノートを開いた時の左側のページのノート用紙には左上の領域に図形５が設けられており、図１（ｂ）に示すようにノートを開いた時の右側のページのノート用紙には右上の領域に図形５が設けられている。ただし、図形５の位置はこれに限定されるものではなく他の位置でも良いし、左右のページで同じ位置にあっても良い。
図形５の４つの欄の高さは、主たる四角枠２と３本の横罫線４で形成される４つの欄の高さの比率と同じでも良いし異なっても良い。図１においては、図形５の１番上の欄の高さを主たる四角枠２と３本の横罫線４で形成される４つの欄の高さの比率より大きく描いている。図形５は、４つの欄のうちのどの欄が塗りつぶされているか等が判れば良いためである。
【００１７】
本発明の実施例に係るノート用紙を用いて学習者の学習効果が向上できる理由について説明する。図２は市販の縦罫線だけのノート用紙を使用してきた学習能力が向上する前の学習者が実施例に係るノート用紙を使い始めた頃の記載内容を模式的（図中の文章の意味は本発明とは関係無い）に表したものである。学習者は１番上の欄６に日付を、上から２番目の欄７には授業のめあてを、上から３番目の欄８には板書事項を、上から４番目の欄９には教師の言葉を記載している。これらの記載は教師が黒板に書いたことや、記載することを指示したことであり、学習者はこれらのことを書き込むことはできるが、それ以上を書き込もうとしない。即ち学習者にとって受け身と言える内容しか記載することができない。
【００１８】
これらの記載内容の量は必然的に上から３番目の欄８が最も多くなり、その結果、上から２番目と４番目の欄に定形（四角形）の余白が生じることになる。なお、１番上の欄６は基本的に日付や教科書のページ数のみを記載するため空白があるが、欄の高さも低く後から書き足す欄としては不向きのため、本発明の重要要素である上から２番目と３番目、４番目の欄にできる余白とは趣旨を異にするものである。
このような状況の学習者に対して、それぞれの欄に書く内容を教師が学習者に指導し続けるともに余白の存在を指摘することに繰り返した結果、学習者は図３に模式的に示すように余白のほどよいノート記載ができるようになる。この間の様子を詳しく述べる。上から４番目の欄９への記載事項として、教師や友達の言葉で印象に残った言葉や、授業でふと感じたことや考えたことなどのつぶやきや、次の授業のための意味調べなどの自学内容を書き足すようになる。上から４番目の欄９の記載量が増えると上から３番目の欄８に余白が目立つ。そこには授業で板書事項を書くがそれでも余白がある。学習者は空白があり過ぎるのはよくないと感じて上から３番目の欄８に多くの「学習後の振り返り」を書く。その中で疑問点が生じた場合は上から４番目の欄９に「疑問点」を書く。疑問について調べた内容を上から３番目の欄８に書く。上から２番目の欄７にできた余白には「学習後の感想」や「次回の学習内容の予告」を書く。
【００１９】
このように、ある欄にできた余白を埋めることにより新たに別の欄に余白ができ、その余白に誘発されて更なる自学を重ねる。この行為を学習者が自発的かつ継続的に行うため学習効果は非常に高い。本発明では、３本の横罫線により作成される予め決められた大きさの欄に効果的に余白が形成されるノートの使用により、授業中の思考を深めるとともに、授業を自学へつなげ、自学を授業につなげるという学習習慣をつくることにより、上記行為を自動的に誘発し学習効果を向上させることができる。
【００２０】
図４に本発明に係るノート用紙を束ねて作成したノートを示す。学習者はノートのページを捲りながら連続的に本発明に係るノート用紙へ記載できる。ノートにすることによりノート用紙のページを跨いだ余白ができるようになり、本発明の余白の効果を一層発揮できることになる。
【００２１】
図５と図６を用いて、ノート用紙の主たる四角枠の外側のノート用紙の領域に設けられた従たる四角枠と従たる四角枠内に設けられた３本の横罫線からなる図形５について説明する。
例えば学習者が上から４番目の欄９へ次の授業のための意味調べなどの自学内容を記載する場合、基本的には図５に示すように上から４番目の欄９のみを用いて記載することになるが、自学内容が多い場合は上から４番目の欄９の記載が多くなり、極端な場合には上から４番目の欄９の記載のみが何ページに渡って続くことになり、他の欄が余白として残ってしまう。そしてこの余白は本発明の特徴である学習者の学習効果の向上をもたらす余白と異なり、単なる無駄なスペースとしての余白になってしまう。
このような場合には、学習者は図６に示すように３本の横罫線に拘らずノート用紙の主たる四角枠内全体を使用して自学内容を記載し、ノート用紙の左上の領域に設けられた図形５の上から４番目の欄を塗りつぶせばよい（図６の図形５に、塗りつぶし１１として記載）。
図形５の上から４番目の欄が塗りつぶされていることにより、学習者が後からノートを見た時に、ノート用紙の主たる四角枠全体に渡って記載されている内容が、上から４番目の欄に記載すべき内容であることを即座に認識することができる。
【００２２】
図７に巻頭もしくは巻末に付加する用紙の実施例を示す。付加する用紙の内容は本発明を限定するものではなく、例えば、「学習の記録」内容を表すタイトル、タイトルの由来、学習のテーマやその選定理由、目次などが挙げられる。各用紙には、前記した用紙の内容を示すための文字と、用紙の内容を書くためのガイドとなる四角枠や罫線などが予め印刷されている。ノートの綴じ部分付近にはミシン目が設けられており、学習者は鋏などを用いることなく簡単にノート本体から切り離すことができる。
付加する用紙の枚数は１枚であっても２枚以上であってもよい。さらに、ノート用紙の端部に貼って見出しとするためのシールを複数枚収納するシール用紙を付加してもよい。このシール用紙の例を図８に示す。シールを簡単に剥がすことができるように表面を加工した用紙に複数のシールが仮に貼られた状態で収納されている。学習者はシールに見出しとなる文字を記載した後にシールを剥がし半分に折ってノート用紙の端部に貼ることにより見出しを作ることができる。
【００２３】
学習者はノートを使い終わった後に付加された用紙に必要事項を記載してミシン目から切り取り、ノートや授業で配布されたプリント類とともに綴じることにより、ノート使用後の一定期間経過後に学習者がそれを見返した時に、学習者がノート使用期間の学習テーマや学習内容の概略を簡単に思い出すことができる「学習の記録」を完成することができる。
付加する用紙以外は実施例に係るノート用紙を使用して、巻頭もしくは巻末に付加する用紙が来るように束ねて作製したノートを作ることにより、本願発明のノート用紙の形状と巻末付加ページの効果が相まって非常に大きな学習効果と記録としてのノートの価値を同時に得ることができる。
【産業上の利用可能性】
【００２４】
本発明に係るノート用紙およびノートは、中学生を中心に教育の場で利用することができる。
【符号の説明】
【００２５】
１  用紙
２  主たる四角枠
３  縦罫線
４  横罫線
５  図形
６  １番上の欄
７  上から２番目の欄
８  上から３番目の欄
９  上から４番目の欄
１０  余白
１１  塗りつぶし
１２  ミシン目
１３  シール
Ｎ  ノート用紙
ＮＢ  ノート
ＡＮ  巻頭もしくは巻末に付加する用紙
【図１】
2017128037.tif 000003
【図２】
2017128037.tif 000004
【図３】
2017128037.tif 000005
【図４】
2017128037.tif 000006
【図５】
2017128037.tif 000007
【図６】
2017128037.tif 000008
【図７】
2017128037.tif 000009
【図８】
2017128037.tif 000010